(57)【要約】【課題】  ・３次元Ｗｅｂサイトを作成するには、ＣＧの知識が必要であり、知識の獲得に時間がかかる。  ・苦難の末にＣＧの知識を獲得しても、３次元イメージを作成するのに恐ろしく時間がかかる。【解決手段】上記の目的を達成するために、本発明では、以下のような手段を講じる。３Ｄイメージを作成する作業と３次元Ｗｅｂサイト作成する作業を完全に分離し、３次元Ｗｅｂサイト作成は、作成された３Ｄイメージを選択し、どのように配置するかなどの３次元空間の表現方法を記述したテキストファイル（３次元表現ファイル）を作成する。このことにより、３次元Ｗｅｂサイト作成は、ＣＧの知識を必要とせず質の高い３次元Ｗｅｂサイトを作成ことが出来る。【選択図】図１
2012003735.tif 000002
【特許請求の範囲】
【請求項１】
インターネット上のサーバーに
・３次元イメージ
・表現パターン
・３次元表現ファイル
を有し、クライアント端末に
・３次元表現ファイルの解析機能
・３次元空間の描画機能
・２次元空間の描画機能
を持つＷｅｂブラウザー
より構成される３次元Ｗｅｂサイト生成方法である。
【請求項２】
Ｗｅｂブラウザーの３次元空間描画機能が
３Ｄモデリングソフトの３次元描画プログラムをインプロセスまたは、アウトプロセスとして実行する請求項１の３次元Ｗｅｂサイト生成方法。
【請求項３】
Ｗｅｂブラウザーの機能が
３Ｄモデリングソフト自身にＷｅｂブラウザーの機能を持つ請求項１の３次元Ｗｅｂサイト生成方法。
【請求項４】
インターネット上のサーバーに
座標位置、配置方法、表現パターンに別名を定義した一覧表を持つ請求項１の３次元Ｗｅｂサイト生成方法。
【請求項５】
インターネット上の特定サーバーに
・３次元イメージ
・表現パターン
・３次元表現ファイル
を有し、クライアント端末が
・特定サーバーへのアクセス機能
・３次元空間の描画機能
・２次元空間の描画機能
を持つ専用端末より構成される３次元Ｗｅｂサイト生成方法である。
【発明の詳細な説明】
【技術分野】
【０００１】  本発明は、容易に３次元Ｗｅｂサイトを作成するための生成方法に関するものである。
【背景技術】
【０００２】  従来、ＶＲＭＬ等の３Ｄグラフィックス記述言語を用いて作成されている。
【先行技術文献】
【特許文献】
【０００３】
【特許文献１】特開２００２−３１５２７
【０００４】  特許文献１で提案されている技術は、Ｗｅｂページを自動生成するオーサリングソフトウェアをユーザに供与するためのコンピュータシステムである。
【発明の概要】
【発明が解決しようとする課題】
【０００５】  ・ＶＲＭＬ等の３Ｄグラフィックス記述言語は、ＣＧ（コンピュータグラフィックス）の知識が必要であり、知識の獲得に時間がかかる。
・苦難の末にＣＧの知識を獲得しても、３次元イメージを作成するのに恐ろしく時間がかかる。
本発明は、以上のような欠点を無くすために、なされたものである。
【課題を解決するための手段】
【０００６】  インターネット上のサーバーに
・３次元イメージ
・３次元イメージの表現方法、又は一連の動きを記述したデータ（表現パターン）
・３次元空間の表現を記述したテキストファイル（３次元表現ファイル）
を有し、クライアント端末に
・３次元表現ファイルを基に、３次空間と２次元オブジェクト（文字列など）の描画機能を持つＷｅｂブラウザーより構成される３次元Ｗｅｂサイト生成方法である。【０００７】  ３次元表現ファイルは、３次元イメージをどのように使って、３次元空間を表現するかを記述するテキストファイルである。
３次元表現ファイルの基本的な内容として
・３次元空間を表現した３次元イメージの指定
・３次元イメージの配置位置と配置方法を現す情報
・発生イベントに対応する３次元イメージと表現パターンを関連付けた情報
・文字列、ポップアップウィンドウなどの２次元オブジェクトの表示方法
を記述する。【０００８】  表現パターンの基本的な内容として
・表面の材質、光源、カメラ位置などを設定したレンダリング情報
・一連の動き（アニメーション）を設定した情報
を記述したデータである。
【発明の効果】
【０００９】  ３次元イメージ、表現パターンは、３次元イメージ作成者が３Ｄモデリングソフト等により作製したデータであり、３次元イメージ作成者がインターネット上のサーバーにアップロードする。このことにより、３次元イメージを作成する時間が省略できる。【００１０】  ３次元表現ファイルは、３次元Ｗｅｂサイト作成者が記述するテキストファイルであり、３次元Ｗｅｂサイト作成者がインターネット上のサーバーにアップロードする。３次元表現ファイルの基本的な内容は、ＣＧの知識を必要としないので、３次元Ｗｅｂサイト作成者は、ＣＧの知識をもつ必要がなく、短期間に精度の高い３次元Ｗｅｂサイトを作成することが出来る。
【図面の簡単な説明】
【００１１】
【図１】本発明の実施の形態に係る３次元Ｗｅｂサイト生成方法の関連図。
【発明を実施するための形態】
【００１２】  インターネット上のサーバーに
・３次元空間を表現した３次元イメージ（空間オブジェクト）
・空間オブジェクトに配置するための３次元イメージ（配置オブジェクト）
・３次元イメージの表現方法、又は一連の動きを記述したデータ（表現パターン）
・３次元空間の表現を記述したテキストファイル（３次元表現ファイル）
を有し、３次元Ｗｅｂサイトを閲覧するためのクライアント端末に
・３次元表現ファイルの解析機能
・３次元空間の描画機能
・２次元空間の描画機能
を持つＷｅｂブラウザー
より構成される３次元Ｗｅｂサイト生成方法である。
【００１３】  本発明は、以上のような構成であり、３次元イメージ作成者は、３次元イメージ、表現パターンを３Ｄモデリングソフト等を使って作成し、インターネット上のサーバーにアップロードする。
【００１４】  ３次元Ｗｅｂサイトの作成者は、３次元表現ファイルをテキストエディター等を使って作成し、インターネット上のサーバーにアップロードする。３次元表現ファイルは、ＨＴＭＬファイルに相当するものである。
【００１５】  ３次元Ｗｅｂサイトの閲覧者は、Ｗｅｂブラウザーに３次元表現ファイルのＵＲＬを設定し実行する。Ｗｅｂサーバーは、サーバー上の３次元表現ファイルをＷｅｂブラウザーに送信する。Ｗｅｂブラウザーは、３次元表現ファイルを解析し、必要な３次元イメージ、表現パターンをダウンロードする。Ｗｅｂブラウザーは、３次元イメージ、表現パターンを３次元描画プログラムに渡す。３次元描画プログラムは渡された３次元イメージ、表現パターンに基づいて、３次元空間を描画し、３次元表現ファイルの２次元オブジェクトを表示する。
【実施例】
【００１６】  以下、本発明の実施の形態について図１を用いて説明する。
・３次元イメージ作成者Ａは３Ｄモデリングソフト等を用いて３ＤイメージＡと表現パターンＡを作成し、サーバーＳにアップロードする。
・３次元イメージ作成者Ｂは３Ｄモデリングソフト等を用いて３ＤイメージＢを作成し、サーバーＳにアップロードする。
・３次元イメージ作成者Ｃは３Ｄモデリングソフト等を用いて３ＤイメージＣと表現パターンＣを作成し、サーバーＳにアップロードする。
・Ｗｅｂサイトの作成者Ｗは３次元表現ファイルＷを作成し、サーバーＳにアップロードする。
・３次元Ｗｅｂサイトの閲覧者Ｘは、Ｗｅｂブラウザーに３次元表現ファイルＷのＵＲＬを指定する。
・Ｗｅｂブラウザーは、サーバーＳの３次元表現ファイルＷを基に３次元空間を表現する。【００１７】  ３次元表現ファイルＷの内容を具体例を用いて説明する。
１）名前の定義付け
・港区芝公園＝港区芝公園の３次元空間（３ＤイメージＡ）を定義
・４丁目    ＝港区芝公園４丁目の３次元座標（ｘ，ｙ，ｚ）を定義
・４丁目手前＝港区芝公園４丁目の手前の３次元座標（ｘ−３ｍ，ｙ，ｚ）を定義
・朝の光景  ＝表現パターンＡを定義
・東京タワー＝３ＤイメージＢを定義
・人物      ＝３ＤイメージＣを定義
・挨拶をする＝表現パターンＣを定義
２）３次元空間の指定（ＨＴＭＬ風に表現すると）
・〈ｂａｓｅ  ｈｒｅｆ＝″ｈｔｔｐ：／／サーバーＳ／″〉
・〈ｂｏｄｙ  ｂａｃｋｇｒｏｕｎｄ＝″港区芝公園″  ｏｎＬｏａｄ＝″朝の光景″〉
ページの読み込みが完了したときに３ＤイメージＡを表現パターンＡでレンダリングする。
３）３次元空間に３Ｄイメージを配置
・〈ｉｍｇ  ｓｒｃ＝″東京タワー″  位置＝″４丁目″〉
３ＤイメージＢを３次元座標のｘ，ｙ，ｚに配置する。
４）３Ｄイメージに表現パターンと発生イベントを関連付ける
・〈ｉｍｇ  ｓｒｃ＝″人物″  位置＝″４丁目手前″  ｏｎＣｌｉｃｋ＝″挨拶をする″〉
３ＤイメージＣをクリックしたときに、３ＤイメージＣの表現パターンＣ（アニメーション）を実行する。
５）文字列の表示
・〈文字列＝″案内係り″  位置＝″ｘ，ｙ″〉
文字列を２次元座標（画面）のｘ，ｙに表示する。
【産業上の利用可能性】
【００１８】  本発明は、３Ｄイメージ作成者と３次元Ｗｅｂサイト作成者が完全に分離されたシステムなので、３Ｄイメージを提供する側と３Ｄイメージを利用して３次元Ｗｅｂサイトを作成する側の間で新しいビジネスが生まれることが容易に想像出来る。
例えば、カーナビなどに地図情報を提供している企業が、空間オブジェクト（３Ｄイメージ）を作成し、建築会社が建築物の配置オブジェクト（３Ｄイメージ）を提供し、不動産企業が３次元Ｗｅｂサイト（３次元表現ファイル）を作成すれば、春夏秋冬の日当たり状況などを簡単にシュミレーションできる。また建築物の配置オブジェクトは、内部に入れば、空間オブジェクトになるので、家電、家具メーカがそれぞれの自社製品を配置オブジェクトとして提供すれば、部屋のレイアウトなども簡単にシュミレーションできる。
【符号の説明】
【００１９】Ａ        ３Ｄイメージ作成者その１
Ｂ        ３Ｄイメージ作成者その２
Ｃ        ３Ｄイメージ作成者その３
Ｓ        インターネット上のサーバー
Ｗ        ３次元Ｗｅｂサイト作成者
Ｘ        ３次元Ｗｅｂサイトの閲覧者
【図１】
2012003735.tif 000003